(57)【特許請求の範囲】
【請求項１】
ドアに形成された取付孔を介して、螺合される第１の筒状体及び第２の筒状体からなり、この第２の筒状体に室内側フランジ部を備えた防犯レンズに取付けられる防犯レンズ用カバーであって、
そのカバーは、前記室内側フランジ部を覆うカバー片と、このカバー片を前記防犯レンズに取付けるための取付リングからなり、
これらカバー片及び取付リングの各連結片を介して、カバー片は取付リングに対し回転可能に取付けられ、
前記カバー片は、前記室内側フランジ部の径と略同一の径に形成され、前記連結片の点対称の位置に、舌状片が成形され、
前記取付リングの外径も、前記カバー片と同様に前記室内側フランジ部の径と略同一の径に形成され、一方、その内径は、前記第２の筒状体としての外筒にフィットするように形成され、  
前記取付リングの連結片は、前記室内側フランジ部の厚さを逃げる折曲片を介して立上り、前記カバー片の連結片に取付けられることを特徴とする防犯レンズ用カバー。
【請求項２】
ドアに形成された取付孔を介して、螺合される第１の筒状体及び第２の筒状体からなる防犯レンズに取付けられる防犯レンズ用カバーであって、
そのカバーは、第２の筒状体としての外筒を覆うカバー片と、このカバー片を前記防犯レンズに取付けるための取付リングからなり、
前記カバー片と取付リング間にサポート部を設けると共に、
前記カバー片は、その連結片を中心に回転され、且つ、前記外筒の外径と略同一の径に形成され、
一方、前記取付リングの外径も、前記外筒の外径と略同一に形成され、その内径は、前記第１の筒状体としての内筒の室外側フランジ部の座部にフィットするように形成され、
前記サポート部は、前記カバー片寄りに、前記外筒を跨ぐ一対の枝部を備えていることを特徴とする防犯レンズ用カバー。
【請求項３】
前記防犯レンズは、レンズ系を収容する第１の筒状体に、そのレンズ系を構成する凸レンズの脱落を防止するストッパ片を設け、このストッパ片に凸レンズを当接させると共に、この凸レンズにスリーブを隣接させたことを特徴する請求項１に記載の防犯レンズ用カバー。
【請求項４】
前記防犯レンズは、前記取付孔に形成された係合部に対応させて、室外側から前記取付孔に挿入される第１の筒状体に被係合部を設けたことを特徴とする請求項１に記載の防犯レンズ用カバー。
【請求項５】
前記防犯レンズは、前記第１の筒状体の一端に設けられたフランジ部の座部より大きい径のフランジ環部を、第２の筒状体の一端に設けたことを特徴とする請求項１に記載の防犯レンズ用カバー。
【請求項６】
前記防犯レンズは、前記第１の筒状体のレンズ収容凹部に配置される対物レンズをキャップにより固定したことを特徴とする請求項１に記載の防犯レンズ用カバー。
【請求項７】
前記防犯レンズは、第１の筒状体の内側面に蛍光物質を塗布したこと特徴する請求項１に記載の防犯レンズ用カバー。
【発明の詳細な説明】
【技術分野】
【０００１】
本発明は、室内から外部の様子を広範囲にわたって観察することができる防犯レンズ用カバー及びこれを用いた防犯レンズに関する。
【背景技術】
【０００２】
ドアを施錠したまま、室内から訪問者の様子を観察できる防犯レンズは、今日の防犯意識の高まりと共に、重要性を増している。
【０００３】
出願人は、防犯レンズのトップメーカとして、特願平１１−１０８２７３号(特開２０００−２９７５８３、公開日２０００年１０月２４日)に防犯機能を高めた防犯レンズの構成を記載している。
一方で、犯罪行為の多様化や凶悪化に対処するため、防犯レンズの改良の必要も生じつつある。
例えば、レンズを防犯レンズの入射窓に当てて、防犯レンズを通じて室外から室内の様子を伺う不審者に対処できるような防犯レンズが、必要になっている。
また、犯罪行為の多様化や凶悪化に対処するためには、構造の耐久性を高めることが必要になっている。
【発明の開示】
【発明が解決しようとする課題】
【０００４】
そこで、本願発明は、社会情勢の変化に対処できる防犯レンズ用カバーとこれを用いた防犯レンズを提供することを目的とする。
【課題を解決するための手段】
【０００５】
この目的を達成するため、ドアに形成された取付孔を介して、螺合される第１の筒状体及び第２の筒状体からなり、この第２の筒状体に室内側フランジ部を備えた防犯レンズに取付けられる防犯レンズ用カバーであって、そのカバーは、前記室内側フランジ部を覆うカバー片と、このカバー片を前記防犯レンズに取付けるための取付リングからなり、これらカバー片及び取付リングの各連結片を介して、カバー片は取付リングに対し回転可能に取付けられ、前記カバー片は、前記室内側フランジ部の径と略同一の径に形成され、前記連結片の点対称の位置に、舌状片が成形され、前記取付リングの外径も、前記カバー片と同様に前記室内側フランジ部の径と略同一の径に形成され、一方、その内径は、前記第２の筒状体としての外筒にフィットするように形成され、前記取付リングの連結片は、前記室内側フランジ部の厚さを逃げる折曲片を介して立上り、前記カバー片の連結片に取付けられることを特徴とする防犯レンズ用カバーとした（請求項１に記載の発明）。
このカバーは、所謂フラッシュドアと呼ばれている２枚板の厚みのあるダブルドア用の防犯レンズに取付けるもので、室内側の覗き窓から室外側の入射窓に進む光が遮断されるので、室外側から室内の様子を覗くことはできない。
【０００６】
また、ドアに形成された取付孔を介して、螺合される第１の筒状体及び第２の筒状体からなる防犯レンズに取付けられる防犯レンズ用カバーであって、そのカバーは、第２の筒状体としての外筒を覆うカバー片と、このカバー片を前記防犯レンズに取付けるための取付リングからなり、前記カバー片と取付リング間にサポート部を設けると共に、前記カバー片は、その連結片を中心に回転され、且つ、前記外筒の外径と略同一の径に形成され、一方、前記取付リングの外径も、前記外筒の外径と略同一に形成され、その内径は、前記第１の筒状体としての内筒の室外側フランジ部の座部にフィットするように形成され、前記サポート部は、前記カバー片寄りに、前記外筒を跨ぐ一対の枝部を備えていることを特徴とする防犯レンズ用カバーとした（請求項２に記載の発明）。
このカバーは、一枚の金属板等で作られている一枚ドア用の防犯レンズ用のもので、室内側の覗き窓から室外側の入射窓に進む光が遮断されるので、室外側から室内の様子を覗くことはできない。
【０００７】
請求項１に記載の防犯レンズは、レンズ系を収容する第１の筒状体に、そのレンズ系を構成する凸レンズの脱落を防止するストッパ片を設け、このストッパ片に凸レンズを当接させると共に、この凸レンズにスリーブを隣接させたことを特徴する（請求項３に記載の発明）。
前記レンズ系を構成する凸レンズは、前記第１の筒状体のストッパ片とスリーブに挟まれることによって、脱落し難くなっている。
【０００８】
請求項１に記載の防犯レンズは、前記取付孔に形成された係合部に対応させて、室外側から前記取付孔に挿入される第１の筒状体に被係合部を設けたことを特徴とする（請求項４記載の発明）。
この発明によれば、本発明に係る防犯レンズをドアに取付けた段階で、ドア側の係合部に対し、第１の筒状体に設けた被係合部が係合され、その筒状体自体の回転が規制される。
よって、第１の筒状体が外されることを防ぎ、不測の犯罪の発生を未然に防止することができる。
【０００９】
請求項１に記載の防犯レンズは、前記第１の筒状体の一端に設けられたフランジ部の座部より大きい径のフランジ環部を、第２の筒状体の一端に設けたことを特徴とする（請求項５に記載の発明）。
この発明によれば、ドアに設けられた取付孔に室外側から挿入された第１の筒状体に、フランジ環部側から第２の筒状体を螺着させると、そのフランジ環部が、第１の筒状体のフランジ部の座部を覆うことができる。
その結果、第１の筒状体のフランジ部とフランジ環部間の間隔を狭めることができるので、一枚ドア用防犯レンズとなる。
また、第１の筒状体に対し、フランジ環部の反対端から螺着させると、ダブルドア用防犯レンズとなり、一枚ドア用とダブルドア用として共用できる防犯レンズを提供することができる。
【００１０】
請求項１に記載の防犯レンズは、前記第１の筒状体のレンズ収容凹部に配置される対物レンズをキャップにより固定したことを特徴とする（請求項６に記載の発明）。
このキャップにより、このキャップと前記ストッパ片間に収容されたレンズ系が固定され、脱落を防ぐことができる。
【００１１】
請求項１に記載の防犯レンズは、第１の筒状体の内側面に蛍光物質を塗布したこと特徴する（請求項７の発明）。
ここで内側面とは、光が通過する光路に面する面をいう。
蛍光物質は、昼間時等の光のエネルギーを吸収して、光を放出するもので、長時間に亘って発光を継続するもの、即ち残光特性の良い蛍光顔料を用いれば、夜間においてもその発光により、外側の様子を見ることができる。
【発明の効果】
【００１２】
本願発明によれば、社会情勢の変化に対処できる防犯レンズ用カバーとこれを用いた防犯レンズを提供することができる。
【発明を実施するための最良の形態】
【００１３】
本発明に係る防犯レンズ用カバー及び防犯レンズの実施形態を図面に基づいて詳細に説明する。
図１は第１実施形態に係る防犯レンズ用カバー（以下、単にカバーという）の斜視図であり、且つ、そのカバーを防犯レンズに組付ける場合の斜視図、図２は同取付断面図、図３は同カバーの動作図である。
なお、これらの各図及び以下に説明する各図において、同一の構成は同一の符号を付して、詳細な説明を省略する。
【００１４】
第１実施形態に係るカバー１Ａは、所謂フラッシュドアと呼ばれている２枚板の厚みのあるダブルドア用の防犯レンズＡに取付けるもので、防犯レンズＡを構成する第２の筒状体としての外筒２の室内側フランジ部２０を覆うカバー片１ａと、このカバー片１ａを防犯レンズＡに取付けるための取付リング１ｂからなり、これらカバー片１ａ及び取付リング１ｂの各連結片１０ａ，１０ｂを介して、カバー片１ａは取付リング１ｂに対し回転可能に取付けられている。
【００１５】
前記カバー片１ａは、前記室内側フランジ部２０の径と略同一の径に形成され、前記連結片１０ａの点対称の位置に、舌状片１１ａが成形されている。
前記取付リング１ｂの外径も、前記カバー片１ａと同様に、前記室内側フランジ部２０の径と略同一の径に形成され、一方、その内径は、前記外筒２にフィットするように形成されている。
前記取付リング１ｂの連結片１０ｂは、前記室内側フランジ部２０の厚さを逃げる折曲片１００ｂを介して立上り、前記カバー片１ａの連結片１０ａとリベット等により接合されている。
【００１６】
このような構成のカバー１Ａによれば、このカバー１Ａを防犯レンズＡの外筒２に取付けた場合に、防犯レンズＡの構成と調和し、意匠的な統一を図ることができる。
【００１７】
前記カバー１Ａが取付けられる防犯レンズＡは、図１に示したように、入射窓となる室外側フランジ部１０、外周に設けられた雄ネジ部１１及び内部にレンズ系１２を収容した第１の筒状体としての内筒１と、覗き窓となる前記室内側フランジ部２０及び内部周面に雌ネジ部２１を備えた外筒２からなる。
前記レンズ系１２は、対物レンズとしての凹レンズ１２０，１２１と、接眼レンズとしての凸レンズ１２２からなり、これらのレンズにはプラスチックではなく、光学ガラスを用いている。よって、熱に強く防火上も有効であり、また曇り難くなっている。
【００１８】
前記防犯レンズＡに前記カバー１Ａを取付けるには、次の手順による。
ダブルドアの室外側ドア板３の取付孔３０に室外側から前記内筒１を挿入し、一方、室内側ドア板４の取付孔４０に室内側から外筒２を挿入する段階で、図１に示したように、前記外筒２の室外側先端より、前記取付リング１ｂをくぐらせる。
そして取付リング１ｂが外筒２の前記室内側フランジ部２０に当接するように、外筒２と内筒１を螺合する。図２に示したように、前記連結片１０ａ，１０ｂの位置が、鉛直線上の略上方にくるように、前記室内側フランジ部２０と室内側ドア板４とで前記取付リング１ｂを押し当て固定する。
【００１９】
このように取付けられたカバー１Ａは、通常、前記カバー片１ａの自重により、前記防犯レンズＡの室内側フランジ部２０を覆っているので、室外側から室内の様子を伺うことはできない。
居住者が、防犯レンズＡを覗き見る場合には、図３に示したように、カバー片１ａの舌状部１１ａを左右何れかの方向に振り、前記室内側フランジ部２０を眼前に臨ませればよい。覗き見た後は、前記舌状部１１ａから手を放せば、カバー片１ａがその自重により回転し、再びカバー片１ａが前記室内側フランジ部２０を覆う。
【００２０】
次に、図４乃至図６に基づいて、一枚の金属板等で作られている一枚ドア用の防犯レンズＢに用いられるカバー１Ｂについて説明する。
図４は同カバーの斜視図、図５は同カバーの取付側面図、図６は同カバーの取付正面図である。
このカバー１Ｂが、前記カバー１Ａと異なる主な点は、カバー片１ａと取付リング１ｂ間に、サポート部１ｃを設けた点である。
このサポート部１ｃは、居住者がカバー片１ａの舌状部１１ａを左右何れかの方向に振って防犯レンズＢを覗き見る場合に、カバー片１ａ自体が変位することなしに、連結片１０ａを中心に円滑に回転できるようにするものである。
よって、このサポート部１ｃは、図４乃至図６に示したように、前記カバー片１ａ寄りに、防犯レンズＢの外筒２を跨ぐ一対の枝部１０ｃ，１０ｃを備え、カバー片１ａのスムーズな回転を確保できるようにしている。
【００２１】
このカバー１Ｂの前記カバー片１ａは、防犯レンズＢの外筒２の外径と略同一の径に形成され、一方、前記取付リング１ｂの外径も、前記外筒２の外径と略同一に形成され、その内径は、内筒１の室外側フランジ部１０の座部１３（図１４参照）にフィットするように形成されている。
【００２２】
前記カバー１Ｂを取付けるには、サポート部１ｃを外筒２に跨がせつつ、外筒２と内筒１と螺合し、外筒２とドア３Ａ間に前記取付リング１ｂを挟み込めばよい。
その他の構成は、第１実施形態と同様であるので、同一の作用効果を奏する。
【００２３】
第１，第２実施形態と同様に、振子式のカバーとして、図７のように、カバー片１ａ自体を前記室内側フランジ部２０に回転可能に取付けてもよい。
【００２４】
上記振り子式以外のカバーとして、図８のようなヒンジ式のもの、図９（イ），（ロ）のような前記室内側フランジ部２０に嵌める栓式のものでもよい。
【００２５】
次に、第３実施形態について説明する。
この第３実施形態では、第１実施形態に係る前記防犯レンズＡに代えて、図１０に示した内筒１を備えた防犯レンズＣを用いる。
この防犯レンズＣが、前記防犯レンズＡと異なる点は、前記内筒１の室内側にストッパ片１４を設け、このストッパ１４とスリーブ１５間に前記凸レンズ１２２を取付けた点である。
【００２６】
前記ストッパ片１４は、内筒１の室内側端に、且つ、内筒１の内径を若干狭める円形縁により形成されており、前記凸レンズ１２２の室内側の外周縁部が当接するようになっている。
このストッパ片の構成は、上記のものに限定されるものではなく、凸レンズ１２２の脱落を防止できるものであればよい。例えば、凸レンズ１２２の外周を支持できように、内筒１の室内側端に所定間隔毎に突起を設けてもよい。
【００２７】
前記スリーブ１５は、その外径が前記内筒１の内側面１６にフィットするように成形され、その一端が前記凸レンズ１２２の室外側の外周縁部に当接し、その他端が前記凹レンズ１２１の室内側の外周縁部が当接する。
【００２８】
よって、前記凸レンズ１２２は、前記ストッパ片１４とスリーブ１５により、挟持されるので、脱落することなく、強固に固定される。
このような内筒１を組立てるには、室外側フランジ部１０から前記凸レンズ１２２を入れ、前記ストッパ片１４まで落し込む。次に、室外側フランジ部１０からスリーブ１５を落し込む。
そして、内筒１のレンズ収容凹部１７の壁面に接着剤を塗り、凹レンズ１２１を接着し，次に凹レンズ１２０を接着する。
【００２９】
上記防犯レンズＣによれば、凸レンズ１２２の脱落を防ぐことができることの他、前記凹レンズ１２０，１２１は接着されるので、後述のキャップ式に比べて、コスト安となる。また、前記凹レンズ１２０の入射面を妨げるものは存在しないので、視界を落すことはないというメリットがある。
この防犯レンズＣに前記カバー１Ａを取付ければ、第１実施形態と同様の作用効果を生じる。
【００３０】
また、第２実施形態に係る防犯レンズＢについても、この第３実施形態と同様に、内筒１の室内側にレンズストッパ片１４を設け、このストッパ片１４とスリーブ１５間に凸レンズ１２２を取付ければ、同一の作用効果を奏する。
【００３１】
次に、第４実施形態に係る防犯レンズの構成例を図１１に基づいて説明する。
第４実施形態に係る防犯レンズＤが第３実施形態に係る防犯レンズＣと異なる点は、前記内筒１のレンズ収容凹部１７に配置される対物レンズ１２０，１２１をキャップ１８により固定したことである。
【００３２】
このキャップ１８は、前記内筒１の室外側端の外周に設けられた雄ネジ部１８ａに螺合される雌ネジ部１８ｂと、前記凹レンズ１２０の外周縁部を押え込むことができる入射窓１８ｃを備えて、前記室外側フランジ部１０の形状と略同一に成形されている。
このキャップ１８により、より確実に凹レンズ１２０，１２１が固定されると共に、このキャップ１８と前記ストッパ片１４間で、凸レンズ１２２、スリープ１５も固定されることになる。
その他の構成は、第１，第３実施形態と同様であり、同一の作用効果を奏する。
【００３３】
次に、第５実施形態に係る防犯レンズの構成例を図１２及び図１３に基づいて説明する。
この第５実施形態に係る防犯レンズＥは、第３実施形態に係る防犯レンズＣに対し、内筒１の回転を規制するため、図１２に示したように、前記室外側フランジ部１０のフランジ座部１３の一部分を、月形状に切欠いた被係合部１３０とし、一方、この形状に対応させて、前記室外側ドア板３の取付孔３０に係合部３１を設けている。
この防犯レンズＥでは、前記室外側ドア板３の取付孔３０に前記座部１３が挿入されると同時に、取付孔３０の係合部３１と、前記内筒１の被係合部１３０が係合し、雄ネジ部１１の回転が規制され、室外側から前記内筒１を取外すことができなくなる。
よって、防犯上の有効性のみならず、防火上も防火戸としての機能を高めることができる構造となっている。また、低コストにて、回止機構を作ることができるし、その取付方法も極めて簡単なものとなっている。
その他の構成は、第３実施形態に係る防犯レンズＣ或は第４実施形態に係る防犯レンズＤと同様であるので、同様な作用効果を奏する。
【００３４】
次に、図１４に基づいて、第６実施形態に係る防犯レンズＦの構成例を説明する。
これは、第２実施形態に係る防犯レンズＢに、第３実施形態の防犯レンズＣの凸レンズ固定機構及び第５実施形態の防犯レンズＥの回止機構を設けたものである。
よって、第３実施形態及び第５実施形態の防犯レンズと同様の作用効果を生じる。
【００３５】
次に、第７実施形態に係る防犯レンズＧの構成例を説明する。
この実施形態では、内筒１に対し、外筒２のフランジ環部２３の反対端から螺着させると、ダブルドア用防犯レンズとなる。
一方、内筒１に、外筒２のフランジ環部２３側から螺着させると、そのフランジ環部２３が、内筒１のフランジ部１０の座部１３を覆うことができるので、一枚ドア用防犯レンズとなる。
即ち、図１５に示したようにダブルドア用の防犯レンズＧに、また、図１６に示したように一枚ドア用の防犯レンズＧ’にそれぞれ共用できる防犯レンズについて、その内筒１に前記ストッパ片１４、スリーブ１５等からなる凸レンズ固定機構及び前記係合部３１及び被係合部１３０等からなる前記回止機構を設けたものである。
なお、１２３で示すものは、広角レンズである。
【００３６】
この防犯レンズＧ，Ｇ’によれば、前記凸レンズ固定機構によるレンズ１２２の脱落防止効果、前記回止機構による防犯効果の他に、施工現場においてドアの種類に柔軟に対応できると共に、在庫管理の簡素化を図ることができる。
【００３７】
上記各実施形態に係る防犯レンズＡ〜Ｇの内筒１の内面、スリーブ１５の内面及びレンズ収納凹部１７の側面、環状平面１２４等に蛍光物質を塗布してもよい。
蛍光物質は、昼間時等の光のエネルギーを吸収して、光を放出するもので、長時間に亘って発光を継続するもの、即ち残光特性の良い蛍光顔料を用いれば、夜間において、室外側が暗くても、蛍光物質の発光により、外側の様子を見ることができる。
【００３８】
また、上記各実施形態の防犯レンズＡ〜Ｇを取付ける際に、前記室内外のフランジ部１０，２０より大きな取付孔を空けてしまったような場合、或は取付孔４０等の周囲に「バリ」が出てしまったような場合には、図１７に示したようなうら板５を配置する取付構造にする。
このうら板５は、前記内筒１の座部１３及び前記外筒２の外径に略等しい孔を備えている。
例えば、室外側ドア板３に「バリ」ができた場合には、前記室外側フランジ部１０と室外側ドア板３間に前記うら板５を挟込み、内筒１と外筒２を螺合する。また室内側ドア板４に「バリ」ができた場合には、前記室内側フランジ部２０と室内側ドア板４間に前記うら板５を挟込み、内筒１と外筒２を螺合する。
この取付構造によれば、ドア一枚が無駄にならず、経済効果が大きいばかりでなく、ボロ隠しとすることもできる。また、取付孔３０，４０等を補強することから、防犯上の効果も期待できる。
【００３９】
その他、第３〜第７実施形態に係る各防犯レンズにも、上記カバー１Ａ等を用いることができる。
また、上記防犯レンズＥ，Ｆ，Ｇにも第４実施形態と同様にキャップを付けてもよい。
【図面の簡単な説明】
【００４０】
【図１】第１の実施形態に係る防犯レンズ用カバーの斜視図、防犯レンズの分解斜視図、
【図２】同カバーの取付断面図、
【図３】同カバーの動作図、
【図４】第２の実施形態に係る防犯レンズ用カバーの斜視図、
【図５】同取付側面図、
【図６】同取付正面図、
【図７】別例に係るカバーの斜視図、
【図８】別例に係るカバーの斜視図、
【図９】（イ）（ロ）別例に係るカバーの斜視図、
【図１０】第３実施形態に係る防犯レンズの片面断面図、
【図１１】第４実施形態に係る防犯レンズの片面断面図、
【図１２】第５実施形態に係る防犯レンズの分解斜視図、
【図１３】同防犯レンズの片面断面図、
【図１４】第６実施形態に係る防犯レンズの片面断面図、
【図１５】第７実施形態に係る防犯レンズの片面断面図、
【図１６】同防犯レンズの片面断面図、
【図１７】うら板の取付構造図。
【符号の説明】
【００４１】
１  内筒
１Ａ  １Ｂ  １Ｃ  カバー
１ａ  カバー片  
１ｂ  取付リング
１ｃ  サポート片
１１ａ  舌状片
１０  室外側フランジ部            １１  雄ネジ部
１２  レンズ系
１３  座部
１４  ストッパ片
１５  スリーブ
１６  内面
１７  レンズ収納凹部
１８  キャップ
１３０  被係合部                  ３１  係合部
１２０，１２１  対物レンズ        １２２  凹レンズ
２  外筒                          ２０  室内側フランジ部
２１  雌ネジ部
３  室外側ドア板                  ３０取付孔
４  室内側ドア板                  ４０  取付孔
３Ａ  ドア板                      ３０Ａ  取付孔
２３  フランジ環部                １２３  広角レンズ
５  ウラ板
【図１】
0003660348.tif 000002
【図２】
0003660348.tif 000003
【図３】
0003660348.tif 000004
【図４】
0003660348.tif 000005
【図５】
0003660348.tif 000006
【図６】
0003660348.tif 000007
【図７】
0003660348.tif 000008
【図８】
0003660348.tif 000009
【図９】
0003660348.tif 000010
【図１０】
0003660348.tif 000011
【図１１】
0003660348.tif 000012
【図１２】
0003660348.tif 000013
【図１３】
0003660348.tif 000014
【図１４】
0003660348.tif 000015
【図１５】
0003660348.tif 000016
【図１６】
0003660348.tif 000017
【図１７】
0003660348.tif 000018